(57)【要約】【課題】下枠の左右両端部も含めて敷居面を略平坦状とすることのできる下枠フラットサッシを提供する。【解決手段】下枠１１は室内側端部に室内側に向かって延出されるアングル片１５を備え、内障子２は下枠１１の敷居面１３より下方まで垂下された内障子垂下片２ｂを備え、下枠１１の上面には内障子２が全開状態とされたときに内障子２の下端部に当接する内障子戸当たり部材４０が設けられ、内障子戸当たり部材４０はアングル片１５の室外端部近傍から外レール２１近傍に渡る内部材本体部４１を備え、内部材本体部４１は内レール３２を跨ぐ凹状部４３を下面に備えると共に、上面４２がアングル片１５の上面と略同じ高さを有し、内障子２は内障子垂下片２ｂが設けられた高さ位置で内部材本体部４１の側面に当接自在とされる。【選択図】図７
2010070944.tif 000002
【特許請求の範囲】
【請求項１】
建物開口部に設けられる枠体内に内外障子を引き違い状に納め、前記枠体を構成する下枠は前記内外障子を案内する内外レールの上端を含む敷居面が略平坦状に形成された下枠フラットサッシにおいて、
前記下枠は室内側端部に室内側に向かって延出されるアングル片を備え、前記内障子は前記下枠の敷居面より下方まで垂下された内障子垂下片を備え、
前記下枠の上面には前記内障子が全開状態とされたときに該内障子の下端部に当接する内障子戸当たり部材が設けられ、該内障子戸当たり部材は前記アングル片の室外端部近傍から前記外レール近傍に渡る内部材本体部を備え、該内部材本体部は前記内レールを跨ぐ凹状部を下面に備えると共に、上面が前記アングル片の上面と略同じ高さを有し、前記内障子は内障子垂下片が設けられた高さ位置で前記内部材本体部の側面に当接自在とされることを特徴とする下枠フラットサッシ。
【請求項２】
前記内障子戸当たり部材は前記凹状部内に前記内レールに係止される弾性変形自在な内部材係止片を有してなることを特徴とする請求項１記載の下枠フラットサッシ。
【請求項３】
前記内障子を構成する内召合せ框の下端部には樹脂製の内障子下端ブロックが設けられ、該内障子下端ブロックは前記内障子垂下片と連続状で端面が前記内障子戸当たり部材に対して当接自在な内障子垂下片延長部を備え、該内障子垂下片延長部は断面中空状に形成されると共に、中空内部に金属製の補強金具が設けられてなることを特徴とする請求項１または２記載の下枠フラットサッシ。
【請求項４】
前記内障子垂下片には前記内レールの室外面に対して当接する気密材が設けられ、前記内障子下端ブロックの内障子垂下片延長部には、前記内障子垂下片の気密材と連続状となる気密材を保持する気密材延長部が形成されてなることを特徴とする請求項３記載の下枠フラットサッシ。
【請求項５】
前記外障子は前記下枠の敷居面より下方まで垂下された外障子垂下片を備え、
前記下枠の上面には前記外障子が全開状態とされた時に該外障子の下端部に当接する外障子戸当たり部材が設けられ、該外障子戸当たり部材は前記内障子の室外面近傍から前記外障子の室外面近傍に渡る外部材本体部を備え、該外部材本体部は前記外レールを跨ぐ凹状部を下面に備えると共に、上面が前記アングル片の上面と略同じ高さを有し、前記外障子は外障子垂下片が設けられた高さ位置で前記外部材本体部の側面に当接自在とされることを特徴とする請求項１〜４のいずれか１項に記載の下枠フラットサッシ。
【請求項６】
前記外障子戸当たり部材は前記凹状部内に前記外レールに係止される弾性変形自在な外部材係止片を有してなることを特徴とする請求項５記載の下枠フラットサッシ。
【請求項７】
前記外障子を構成する外召合せ框の下端部には樹脂製の外障子下端ブロックが設けられ、該外障子下端ブロックは前記外障子垂下片と連続状で端面が前記外障子戸当たり部材に対して当接自在な外障子垂下片延長部を備え、該外障子垂下片延長部は断面中空状に形成されると共に、中空内部に金属製の補強金具が設けられてなることを特徴とする請求項５または６記載の下枠フラットサッシ。
【請求項８】
前記外障子垂下片には前記外レールの室外面に対して当接する気密材が設けられ、前記外障子下端ブロックの外障子垂下片延長部には、前記外障子垂下片の気密材と連続状となる気密材を保持する気密材延長部が形成されてなることを特徴とする請求項７記載の下枠フラットサッシ。
【発明の詳細な説明】
【技術分野】
【０００１】
本発明は、枠体内に内外障子を納めてなると共に下枠の敷居面が略平坦状に形成された下枠フラットサッシに関し、特に内外障子が全開状態とされたときに各障子の下端部に当接する戸当たり部材を下枠の上面に設けた下枠フラットサッシに関する。
【背景技術】
【０００２】
従来、建物開口部に設けられる枠体内に内外障子を引き違い状に納め、内外障子を案内する内外レールの上端を含む下枠の敷居面を略平坦状に形成した下枠フラットサッシが知られている。下枠フラットサッシにおいては、通常のサッシと同様に、内外障子が全開状態とされたときに各障子の下端部に当接する戸当たり部材が、下枠の上面に設けられる。
【０００３】
戸当たり部材は、障子をできるだけ大きく開放するために、縦枠の近傍である下枠の左右両端部にそれぞれ設けられる。そして、各障子が全開状態のときに戸当たり部材に当接することで、障子が枠体に直接衝突することによる衝撃を緩和することができる。このように戸当たり部材を有した下枠フラットサッシとしては、例えば特許文献１に挙げるようなものがある。
【特許文献１】特開２００４−３４６５０５号公報
【発明の開示】
【発明が解決しようとする課題】
【０００４】
しかし、従来の下枠フラットサッシは、戸当たり部材として通常のサッシに用いる部品をそのまま使用しており、したがって戸当たり部材は下枠の敷居面から大きく突出していた。すなわち、下枠の敷居面を略平坦状に形成した下枠フラットサッシにおいて、左右端部に上方に突出した部分を有することになり、意匠性を低下させると共に室内外を通行する際の障害となることもあった。
【０００５】
本発明は前記課題を鑑みてなされたものであり、下枠の左右両端部も含めて敷居面を略平坦状とすることのできる下枠フラットサッシを提供することを目的とする。
【課題を解決するための手段】
【０００６】
前記課題を解決するため、本発明に係る下枠フラットサッシは、建物開口部に設けられる枠体内に内外障子を引き違い状に納め、前記枠体を構成する下枠は前記内外障子を案内する内外レールの上端を含む敷居面が略平坦状に形成された下枠フラットサッシにおいて、
前記下枠は室内側端部に室内側に向かって延出されるアングル片を備え、前記内障子は前記下枠の敷居面より下方まで垂下された内障子垂下片を備え、
前記下枠の上面には前記内障子が全開状態とされたときに該内障子の下端部に当接する内障子戸当たり部材が設けられ、該内障子戸当たり部材は前記アングル片の室外端部近傍から前記外レール近傍に渡る内部材本体部を備え、該内部材本体部は前記内レールを跨ぐ凹状部を下面に備えると共に、上面が前記アングル片の上面と略同じ高さを有し、前記内障子は内障子垂下片が設けられた高さ位置で前記内部材本体部の側面に当接自在とされることを特徴として構成されている。
【０００７】
また、本発明に係る下枠フラットサッシは、前記内障子戸当たり部材は前記凹状部内に前記内レールに係止される弾性変形自在な内部材係止片を有してなることを特徴として構成されている。
【０００８】
さらに、本発明に係る下枠フラットサッシは、前記内障子を構成する内召合せ框の下端部には樹脂製の内障子下端ブロックが設けられ、該内障子下端ブロックは前記内障子垂下片と連続状で端面が前記内障子戸当たり部材に対して当接自在な内障子垂下片延長部を備え、該内障子垂下片延長部は断面中空状に形成されると共に、中空内部に金属製の補強金具が設けられてなることを特徴として構成されている。
【０００９】
さらにまた、本発明に係る下枠フラットサッシは、前記内障子垂下片には前記内レールの室外面に対して当接する気密材が設けられ、前記内障子下端ブロックの内障子垂下片延長部には、前記内障子垂下片の気密材と連続状となる気密材を保持する気密材延長部が形成されてなることを特徴として構成されている。
【００１０】
そして、本発明に係る下枠フラットサッシは、前記外障子は前記下枠の敷居面より下方まで垂下された外障子垂下片を備え、
前記下枠の上面には前記外障子が全開状態とされた時に該外障子の下端部に当接する外障子戸当たり部材が設けられ、該外障子戸当たり部材は前記内障子の室外面近傍から前記外障子の室外面近傍に渡る外部材本体部を備え、該外部材本体部は前記外レールを跨ぐ凹状部を下面に備えると共に、上面が前記アングル片の上面と略同じ高さを有し、前記外障子は外障子垂下片が設けられた高さ位置で前記外部材本体部の側面に当接自在とされることを特徴として構成されている。
【００１１】
また、本発明に係る下枠フラットサッシは、前記外障子戸当たり部材は前記凹状部内に前記外レールに係止される弾性変形自在な外部材係止片を有してなることを特徴として構成されている。
【００１２】
さらに、本発明に係る下枠フラットサッシは、前記外障子を構成する外召合せ框の下端部には樹脂製の外障子下端ブロックが設けられ、該外障子下端ブロックは前記外障子垂下片と連続状で端面が前記外障子戸当たり部材に対して当接自在な外障子垂下片延長部を備え、該外障子垂下片延長部は断面中空状に形成されると共に、中空内部に金属製の補強金具が設けられてなることを特徴として構成されている。
【００１３】
さらにまた、本発明に係る下枠フラットサッシは、前記外障子垂下片には前記外レールの室外面に対して当接する気密材が設けられ、前記外障子下端ブロックの外障子垂下片延長部には、前記外障子垂下片の気密材と連続状となる気密材を保持する気密材延長部が形成されてなることを特徴として構成されている。
【発明の効果】
【００１４】
本発明に係る下枠フラットサッシによれば、内障子戸当たり部材はアングル片の室外端部近傍から外レール近傍に渡る内部材本体部を備え、内部材本体部は内レールを跨ぐ凹状部を下面に備えると共に、上面がアングル片の上面と略同じ高さを有し、内障子は内障子垂下片が設けられた高さ位置で内部材本体部の側面に当接自在とされることにより、内障子戸当たり部材が下枠の敷居面から大きく突出することがなく、下枠が端部を含めて略平坦となり、平坦度を増すことができる。
【００１５】
また、本発明に係る下枠フラットサッシによれば、内障子戸当たり部材は凹状部内に内レールに係止される弾性変形自在な内部材係止片を有してなることにより、内障子戸当たり部材を下枠に容易に固定することができる。
【００１６】
さらに、本発明に係る下枠フラットサッシによれば、内召合せ框の下端部には樹脂製の内障子下端ブロックが設けられ、内障子下端ブロックは内障子垂下片と連続状で端面が内障子戸当たり部材に対して当接自在な内障子垂下片延長部を備え、内障子垂下片延長部は断面中空状に形成されると共に、中空内部に金属製の補強金具が設けられてなることにより、内障子戸当たり部材に当接する内障子垂下片延長部の強度を大きくし、その破損を防止することができる。
【００１７】
さらにまた、本発明に係る下枠フラットサッシよれば、内障子下端ブロックの内障子垂下片延長部には内障子垂下片の気密材と連続状となる気密材を保持する気密材延長部が形成されてなることにより、内障子の下辺において端部まで連続的な気密をなすことができる。
【００１８】
そして、本発明に係る下枠フラットサッシよれば、外障子戸当たり部材は内障子の室外面近傍から外障子の室外面近傍に渡る外部材本体部を備え、外部材本体部は外レールを跨ぐ凹状部を下面に備えると共に、上面がアングル片の上面と略同じ高さを有し、外障子は外障子垂下片が設けられた高さ位置で外部材本体部の側面に当接自在とされることにより、外障子戸当たり部材が下枠の敷居面から大きく突出することがなく、下枠が端部を含めて略平坦となり、平坦度を増すことができる。
【００１９】
また、本発明に係る下枠フラットサッシによれば、外障子戸当たり部材は凹状部内に外レールに係止される弾性変形自在な外部材係止片を有してなることにより、外障子戸当たり部材を下枠に容易に固定することができる。
【００２０】
さらに、本発明に係る下枠フラットサッシによれば、外召合せ框の下端部には樹脂製の外障子下端ブロックが設けられ、外障子下端ブロックは外障子垂下片と連続状で端面が外障子戸当たり部材に対して当接自在な外障子垂下片延長部を備え、外障子垂下片延長部は断面中空状に形成されると共に、中空内部に金属製の補強金具が設けられてなることにより、外障子戸当たり部材に当接する外障子垂下片延長部の強度を大きくし、その破損を防止することができる。
【００２１】
さらにまた、本発明に係る下枠フラットサッシよれば、外障子下端ブロックの外障子垂下片延長部には外障子垂下片の気密材と連続状となる気密材を保持する気密材延長部が形成されてなることにより、外障子の下辺において端部まで連続的な気密をなすことができる。
【発明を実施するための最良の形態】
【００２２】
本発明の実施形態について図面に沿って詳細に説明する。図１には本実施形態における下枠フラットサッシの縦断面図を、図２には下枠フラットサッシの横断面図を、それぞれ示している。これら各図に示すように、本実施形態の下枠フラットサッシは、建物開口部に設けられる枠体１内に内障子２と外障子３が引き違い状に納められてなり、外障子３の室外側にはさらに網戸４が走行自在に納められている。
【００２３】
枠体１は、上枠１０と下枠１１及び左右の縦枠１２、１２を方形状に枠組みして構成されている。また枠体１は、金属枠１ａの室内側露出面を樹脂枠１ｂで覆っており、金属枠１ａが室内側に直接露出しないようにすることで、断熱性及び意匠性を良好にしている。
【００２４】
枠体１を構成する各枠材について見ると、上枠１０は金属上枠１０ａと樹脂上枠１０ｂからなっている。上枠１０の内周面には、内障子２を上枠１０の長手方向に案内する内案内部１０ｃと、外障子３を上枠１０の長手方向に案内する外案内部１０ｄとが形成されている。内案内部１０ｃは、樹脂上枠１０ｂによって構成されており、外案内部１０ｄは、金属上枠１０ａ及び樹脂上枠１０ｂによって構成されている。下枠１１は、金属下枠２０と樹脂下枠２５からなっている。下枠１１の詳細な構造については、後述する。
【００２５】
縦枠１２は、金属縦枠１２ａと樹脂縦枠１２ｂからなっている。内障子２が配置される側の縦枠１２は、内障子２の外周面と対向する位置に内周側に向かって突出する内周突出片１２ｃを有しており、内障子２に設けられる気密材２ａが当接することで、枠体１と内障子２との間の気密性を確保する。また、外障子３が配置される側の縦枠１２は、外障子３の外周面と対向する位置に内周側に向かって突出する内周突出片１２ｃを有しており、外障子３に設けられる気密材３ａが当接することで、枠体１と外障子３との間の気密性を確保する。
【００２６】
内障子２と外障子３は、いずれも方形状に框組みされてなる框体５内にガラス板からなるパネル体６を納めて構成され、下端部にはこれらを走行自在とするための戸車７が設けられている。框体５は、枠体１と同様に金属材の室内側露出面を覆うように樹脂材が設けられており、断熱性及び意匠性の向上を図っている。
【００２７】
次に、下枠１１の構成について詳細に説明する。図３には図１の下枠１１付近拡大図を、図４には下枠１１の分解断面図を、それぞれ示している。図３に示すように、下枠１１は、金属下枠２０の室内側露出面を覆うように樹脂下枠２５が設けられて構成されている。図４に示すように金属下枠２０は、断面中空状に形成されると共に、上面には室外側から順に網戸レール２２と外レール２１及び室内立ち上がり片２３が突出状に形成されている。これら網戸レール２２と外レール２１及び室内立ち上がり片２３は、いずれも上端位置が略同じ高さとなるように形成されている。また、樹脂下枠２５は、金属下枠２０の上面を覆うように設けられる上面被覆部材２６と、金属下枠２０の室内側面を覆うように設けられる室内面被覆部材２７とからなっている。
【００２８】
図４に示すように、金属下枠２０の上面には、外レール２１と室内立ち上がり片２３との間に大きな凹状の領域が形成され、この領域に樹脂下枠２５を構成する上面被覆部材２６が取付けられる。上面被覆部材２６は、金属下枠２０の上面を被覆する上面被覆部２６ａと、金属下枠２０の室内立ち上がり片２３の室外面を被覆する立ち上がり被覆部２６ｂとで、断面略Ｌ字状をなす形状に形成されている。
【００２９】
金属下枠２０の外レール２１よりも室内側の上面には、樹脂枠係合片２４が突出状に形成されており、上面被覆部材２６は室外端部が樹脂枠係合片２４に係合する。また、室内立ち上がり片２３の上端近傍には、係合部２３ａが形成されており、上面被覆部材２６の立ち上がり被覆部２６ｂが係合し固定がなされる。
【００３０】
上面被覆部材２６の上面には、内レール部材３０が載置される。内レール部材３０は金属材からなり、上面被覆部材２６に載置される基部３１と、基部３１から上方に突出状に形成される内レール３２とからなっている。内レール３２の上端位置は、外レール２１や室内立ち上がり片２３の上端位置と略同じ高さとなるようにされている。
【００３１】
上面被覆部材２６の上面被覆部２６ａには、内レール部材３０の基部３１を係合させる内レール係合部２６ｃが形成されており、内レール部材３０の基部３１は内レール係合部２６ｃに係合すると共に、ネジ止めにより上面被覆部材２６に対して固定される。この固定に用いられるネジ２８は、金属下枠２０の上面を貫通して中空内部にまで達しており、これによって内レール部材３０を金属下枠２０に対しても固定している。
【００３２】
このように、内レール３２を金属下枠２０とは別体の金属材で形成した内レール部材３０に設け、この内レール部材３０を樹脂材からなる上面被覆部材２６に載置固定しているので、内レール３２は金属下枠２０と熱絶縁されている。したがって、内障子２の荷重を支える内レール３２の強度を充分に確保しつつ、これが室内側に露出することによる断熱性の悪化を防ぐことができる。
【００３３】
また、内レール３２と外レール２１の間の領域には、長手方向略全長に渡って中間上面材３４が設けられる。中間上面材３４は、金属材によって形成されており、上面３４ａは内障子２の室外面近傍から外障子３の戸車７近傍に渡ると共に、内レール３２や外レール２１及び室内立ち上がり片２３の上端位置と略同じ高さとなるように形成されている。
【００３４】
中間上面材３４を下枠１１に固定するため、上面被覆部材２６の室外端部上面には上面材取付部品３５が設けられる。上面材取付部品３５は、樹脂材からなる小片状の部品として形成されており、下枠１１の長手方向に沿って所定間隔おきに複数が設けられる。上面材取付部品３５は、下枠１１に対して取付けられる基部３５ａを有すると共に、その上面には中間上面材３４を固定するための係合片３５ｂが設けられる。
【００３５】
上面材取付部品３５の下面には、上面被覆部材２６及び内レール部材３０の室外端部によって形成される凹部２９に係合する下面係合部３５ｄが室内側を向くように形成されている。また、上面材取付部品３５の室外面には、逆Ｊ字状の弾性係合部３５ｃが形成されている。弾性係合部３５ｃは、薄板状に形成されているので、室内外方向に弾性を有しており、その先端が外レール２１の上端近傍に形成された鍔部２１ａに係合することにより、上面材取付部品３５を室内側に付勢された状態とする。これにより、下面係合部３５ｄは凹部２９側に押しつけられて、上面材取付部品３５が下枠１１に固定された状態となる。
【００３６】
中間上面材３４は下面に取付部３４ｂを有しており、この取付部３４ｂが上面材取付部品３５の係合片３５ｂと係合することにより、中間上面材３４が上面材取付部品３５に対して固定される。中間上面材３４は、各上面材取付部品３５と係合されることにより、長手方向に沿って複数個所で下枠１１に対して固定される。
【００３７】
金属下枠２０の室内側面を被覆するように設けられる室内面被覆部材２７は、金属下枠２０の室内側面を覆う室内面被覆部２７ａと、その上端から室内側に向かって延出されるアングル構成部２７ｂとが一体的に形成されて断面略Ｌ字状をなすように形成されている。アングル構成部２７ｂは、枠体１の室内側に設けられる床材（図示しない）の上面に当接してネジ止めされ、さらにその上面にはアングルカバー材１４が設けられて、下枠１１から室内側に延出されたアングル片１５を構成する。
【００３８】
内レール３２と室内立ち上がり片２３の間の領域には、室内上面材３３が設けられる。室内上面材３３は金属材からなり略薄板状をなすように形成される。室内上面材３３の室外端部は、内レール３２の上端近傍に形成される鍔部３２ａに係合し、一方で室内上面材３３の室内端部は、上面被覆部材２６を構成する立ち上がり被覆部２６ｂの上端部分と係合する。
【００３９】
そして、室内上面材３３は、立ち上がり被覆部２６ｂが被覆する立ち上がり片２３に対しては、接触しないようにされている。これにより、室内上面材３３は金属下枠２０に対しては熱絶縁された状態となっている。また、室内上面材３３は、立ち上がり被覆部２６ｂの上端部分と内レール３２の上端近傍の鍔部３２ａにそれぞれ係合し取付けられているため、その上面３３ａは内レール３２や室内立ち上がり片２３の上端位置と略同じ高さとなっている。
【００４０】
このように、内レール３２と室内立ち上がり片２３の間に金属材からなる室内上面材３３を設け、室内上面材３３を金属下枠２０から熱絶縁されるように固定することで、下枠１１上面の強度を大きくしつつ、断熱性も確保することができる。また、室内上面材３３が取付けられる内レール部材３０も、前述のように金属下枠２０からは熱絶縁されているので、より断熱性の高い下枠フラットサッシとすることができる。
【００４１】
なお、室内上面材３３は、本実施形態では室内端部が樹脂下枠２５を構成する上面被覆部材２６の立ち上がり被覆部２６ｂの上端と係合し固定されているが、金属下枠２０と熱絶縁されていれば、樹脂下枠２５を構成する室内面被覆部材２７に対して係合固定するようにしてもよい。この場合には、室内上面材３３が立ち上がり片２３の上方を接触しないように跨ぐ必要があるので、立ち上がり片２３の高さを若干低くする必要がある。
【００４２】
金属下枠２０の外レール２１と網戸レール２２の間には、室外上面材３６が取付けられる。室外上面材３６は、金属下枠２０の上面及び網戸レール２２の室内面にそれぞれ係合して固定されており、上面３６ａは内レール３２や外レール２１の上端位置と略同じ高さを有すると共に、網戸４の室内面近傍から外障子３の室外面近傍に渡るように形成されている。
【００４３】
室外上面材３６の上面３６ａと中間上面材３４の上面３４ａ、及び室内上面材３３の上面３３ａは、これまで説明したようにいずれも網戸レール２２、外レール２１、内レール３２、及び室内立ち上がり片２３の上端位置と略同じ高さを有しており、しかもこれらの高さは枠体１の室内側の床材と略同じ高さを有している。これによって下枠１１の上面は、全体として室内外に渡って略平坦な敷居面１３を構成している。
【００４４】
内障子２は、室外面が敷居面１３よりも下方まで垂下された内障子垂下片２ｂを有している。内障子垂下片２ｂは、内レール３２と中間上面材３４との間の領域に納められ、内障子２を走行させた際に室内外方向にぶれないようにこれを案内する。内障子垂下片２ｂには気密材２ａが設けられており、この気密材２ａは内レール３２の室外面に当接して、内障子２と枠体１間の気密性を確保している。
【００４５】
外障子３も、室外面が敷居面１３よりも下方まで垂下された外障子垂下片３ｂを有している。外障子垂下片３ｂは、外レール２１と室外上面材３６との間の領域に納められ、外障子３を走行させた際に室内外方向にぶれないようにこれを案内する。外障子垂下片３ｂにも気密材３ａが設けられており、この気密材３ａは外レール２１の室外面に当接して、外障子３と枠体１間の気密性を確保している。また、中間上面材３４には室内面に気密材３４ｃが設けられており、この気密材３４ｃが内障子２の室外面に当接することで、気密性をより高くしている。
【００４６】
図５には、枠体１の横断面図であって下枠１１を平面状に表した図を示している。この図では、枠体１のうち縦枠１２付近の両端部のみを示している。図５は図２と同じ方向を向くように描かれており、図中右側に内障子２が、図中左側に外障子３が、それぞれ配置される。下枠１１の上面には、内障子２が全開状態とされたときに内障子２に当接するように、図中左側の端部近傍に内障子戸当たり部材４０が設けられる。また、外障子３が全開状態とされたときに外障子３に当接するように、図中右側の端部近傍に外障子戸当たり部材４５が設けられる。
【００４７】
図６には、内障子戸当たり部材４０の斜視図を示している。内障子戸当たり部材４０は、ブロック状の内部材本体部４１からなり、内部材本体部４１は上面側に略平面状の上面部４２を有し、下面側には下枠１１の内レール３２を跨ぐ凹状部４３が形成されている。
【００４８】
図７には、図５のＡ−Ａ断面図を示している。なお、この図には内障子２及び外障子３も示している。図７に示すように、内障子戸当たり部材４０の内部材本体部４１は、下枠１１のアングル片１５の室外端部近傍から外レール２１の室内面近傍に渡る室内外方向幅を有している。内部材本体部４１の凹状部４３は、内レール３２を跨いでおり、また凹状部４３内には弾性変形可能な突起状の内部材係止片４３ａが形成されている。内部材係止片４３ａは、内レール３２に形成される鍔部３２ａに弾性的に係止される。
【００４９】
内障子戸当たり部材４０が下枠１１に取付けられた状態で、内部材本体部４１の上面部４２は、その高さがアングル片１５の上面位置と略同じ高さとなるように形成されている。また、内部材本体部４１の側面に対し、内障子２は内障子垂下片２ｂの高さ位置でのみ当接自在となるようにされている。
【００５０】
図８には、外障子戸当たり部材４５の斜視図を示している。外障子戸当たり部材４５は、ブロック状の外部材本体部４６からなり、外部材本体部４６は上面側に略平面状の上面部４７を有し、下面側には下枠１１の外レール２１を跨ぐ凹状部４８が形成されている。
【００５１】
図９には、図５のＢ−Ｂ断面図を示している。なお、この図には内障子２及び外障子３も示している。図９に示すように、外障子戸当たり部材４５の外部材本体部４６は、内障子２の室外面近傍位置から外障子３の室外面近傍位置に渡る室内外方向幅を有するように形成されている。外部材本体部４６の凹状部４８は、外レール２１を跨いでおり、また凹状部４８内には弾性変形可能な突起状の外部材係止片４８ａが形成されている。外部材係止片４８ａは、外レール２１に形成される鍔部２１ａに弾性的に係止される。
【００５２】
外障子戸当たり部材４５が下枠１１に取付けられた状態で、外部材本体部４６の上面部４７は、その高さがアングル片１５の上面位置と略同じ高さとなるように形成されている。また、外部材本体部４６の側面に対し、外障子３は外障子垂下片３ｂの高さ位置でのみ当接自在となるようにされている。
【００５３】
このように、内障子戸当たり部材４０と外障子戸当たり部材４５は、いずれも上面部４２、４７がそれぞれアングル片１５の上面位置と略同じ高さとなるように形成されており、これは前述のように下枠１１の敷居面１３と略同じ高さであることから、各戸当たり部材が敷居面１３よりも上方に大きく突出することがなく、下枠１１の上面を左右端部付近も含めて平坦状とすることができる。一方で、内障子戸当たり部材４０は内障子２に対して内障子垂下片２ｂの高さ位置では当接自在とされ、外障子戸当たり部材４５は外障子３に対して外障子垂下片３ｂの高さ位置では当接自在とされているので、各障子と確実に当接することができる。
【００５４】
次に、内障子２の内障子戸当たり部材４０に対する当接部分について説明する。図１０には、内障子２の召合せ部分における下端部近傍の拡大斜視図を示している。この図に示すように、内障子２の召合せ部分においては、縦方向の框材である召合せ框６１と横方向に框材である下框６０とが連結されている。下框６０は、端面が召合せ框６１の内側面に突き合わされており、両者はビス止めされることにより連結されている。
【００５５】
下框６０には、前述の内障子垂下片２ｂが長手方向に沿って形成されている。召合せ框６１の下端部には、樹脂材からなる内障子下端ブロック５０が取付けられており、この内障子下端ブロック５０に形成された内障子垂下片延長部５２により、内障子垂下片２ｂが内障子２の端部まで延長される。そして、内障子垂下片延長部５２の端面が内障子戸当たり部材４０に当接自在となる。
【００５６】
内障子垂下片２ｂの先端部には、気密材２ａを取付けることのできる気密材保持部２ｃが形成されている。なお、図１０では気密材２ａは省略している。内障子下端ブロック５０の内障子垂下片延長部５２には、先端部に気密材２ａと連続状となる気密材を保持する気密材延長部５３が形成されている。気密材延長部５３により、内障子２の下辺において端部にまで連続状に気密材を設けることができ、内障子２と枠体１との間の気密性を高くすることができる。
【００５７】
図１１には、内障子下端ブロック５０の斜視図を示している。この図に示すように、内障子下端ブロック５０は、召合せ框６１の中空内部に挿入されて固定される挿入部５１を備え、その下部に前述の内障子垂下片延長部５２が一体的に形成されている。
【００５８】
図１２には内障子下端ブロック５０の図１１とは反対側から見た斜視図を示している。この図に示すように、内障子垂下片延長部５２は、上半分が断面中空状に形成されており、この中空内部には金属板からなる補強金具５４が挿入される。内障子２において内障子戸当たり部材４０に当接するのは、内障子下端ブロック５０の内障子垂下片延長部５２端面のみであるため、中空内部に金属板からなる補強金具５４を設けて、その強度を大きくしている。
【００５９】
外障子３の召合せ部分も同様の構成を有している。すなわち、外障子下端ブロックが召合せ框の下端に設けられており、外障子下端ブロックには外障子３の外障子垂下片３ｂを延長する外障子垂下片延長部が設けられてその端面が外障子戸当たり部材４５に当接自在とされ、また外障子垂下片延長部の中空内部には金属板からなる補強金具が挿入されて強度を大きくする。また、外障子下端ブロックには外障子３の外障子垂下片３ｂに設けられる気密材３ａと連続状となる気密材を保持する気密材延長部が形成されて、外障子３の下辺において連続的な気密をなすようにする。
【００６０】
以上、本発明の実施形態について説明したが、本発明の適用は本実施形態には限られず、その技術的思想の範囲内において様々に適用されうるものである。例えば、本実施形態の下枠フラットサッシは、金属材の室内側露出面を樹脂材で覆った複合サッシであるが、金属材のみからなる金属サッシであっても本発明を適用することができる。
【図面の簡単な説明】
【００６１】
【図１】本実施形態における下枠フラットサッシの縦断面図である。
【図２】本実施形態における下枠フラットサッシの横断面図である。
【図３】図１の下枠付近拡大図である。
【図４】下枠の分解断面図である。
【図５】枠体の横断面図である。
【図６】内障子戸当たり部材の斜視図である。
【図７】図５のＡ−Ａ断面図である。
【図８】外障子戸当たり部材の斜視図である。
【図９】図５のＢ−Ｂ断面図である。
【図１０】内障子の召合せ部分における下端部近傍の拡大斜視図である。
【図１１】内障子下端ブロックの斜視図である。
【図１２】内障子下端ブロックの図１１とは反対側から見た斜視図である。
【符号の説明】
【００６２】
１    枠体
２    内障子
３    外障子
４    網戸
５    框体
６    パネル体
７    戸車
１０    上枠
１１    下枠
１２    縦枠
１３    敷居面
２０    金属下枠
２１    外レール
２２    網戸レール
２３    室内立ち上がり片
２４    樹脂枠係合片
２５    樹脂下枠
２６    上面被覆部材
２７    室内面被覆部材
２９    凹部
３０    内レール部材
３１    基部
３２    内レール
３３    室内上面材
３４    中間上面材
３５    上面材取付部品
４０    内障子戸当たり部材
４１    内部材本体部
４２    上面部
４３    凹状部
４３ａ  内部材係止片
４５    外障子戸当たり部材
４６    外部材本体部
４７    上面部
４８    凹状部
４８ａ  外部材係止片
５０    内障子下端ブロック
５１    挿入部
５２    内障子垂下片延長部
５３    気密材延長部
５４    補強金具
【図１】
2010070944.tif 000003
【図２】
2010070944.tif 000004
【図３】
2010070944.tif 000005
【図４】
2010070944.tif 000006
【図５】
2010070944.tif 000007
【図６】
2010070944.tif 000008
【図７】
2010070944.tif 000009
【図８】
2010070944.tif 000010
【図９】
2010070944.tif 000011
【図１０】
2010070944.tif 000012
【図１１】
2010070944.tif 000013
【図１２】
2010070944.tif 000014